(57)【要約】【課題】  車両用の有底筒状で底が深い灰皿を効率的かつ衛生的に洗浄・乾燥可能とするメンテナンス性の高い灰皿洗浄装置を提供する。【解決手段】  装置上部に設けた洗浄室開口部より灰皿を挿入後、洗浄室内底部中央に位置するウエットノズル・ドライノズルより洗浄水・エアーを灰皿の被洗浄部に向けて噴射することにより洗浄・乾燥を行う車両用灰皿洗浄装置において、ウエットノズル及びドライノズルが位置する洗浄室中央以外の周囲に円柱または角柱形状のブラシを取り付け、有底筒状で底が深い灰皿内部の被洗浄部のブラッシングを可能とした。また、ブラシは手動またはモーターにて回転可能で、ブラシに近接した洗浄ノズルよりブラッシング時に洗剤を噴射することもできる。更に、洗浄を終えた灰皿を脱臭剤等で清浄化する手段も具備できる。なお、洗浄室開口部は正面のみならず側面・背面にも設け２ケ所以上とすることもできる。【選択図】図１
2015093270.tif 000002
【特許請求の範囲】
【請求項１】
装置上部に設けた洗浄室開口部から灰皿を挿入後、洗浄室内底部中央に位置するウエットノズルから上方に洗浄水とエアーとを灰皿内部の被洗浄部に向けて噴射することにより灰皿の汚れを除去し、その後にウエットノズルと隣り合うドライノズルから上方にエアーのみを噴射することにより洗浄・乾燥を行う車両用灰皿洗浄装置において、ウエットノズル及びドライノズルが位置する洗浄室中央部以外の周囲に、円柱形状または角柱形状の固定ブラシを洗浄室底部から上向きに垂直または角度をつけて取り付け、有底筒状で底が深い灰皿内部の被洗浄部のブラッシングを可能としたことを特徴とする車両用灰皿洗浄装置。
【請求項２】
洗浄室内に備えた円柱形状または角柱形状のブラシを手動もしくはモーターで回転させることにより、固定ブラシ方式に比べてより効率的に洗浄できる回転ブラシ方式の機能を備えた請求項１記載の車両用灰皿洗浄装置。
【請求項３】
洗浄室内に備えた円柱形状または角柱形状のブラシの取付部に近接して、洗浄室底部から上向きにブラシ洗浄ノズルを設け、灰皿をブラッシングする時に洗剤を噴射することによりさらに効率的な洗浄が可能で、ブラシをより清潔に保つ機能も備えた請求項１または２記載の車両用灰皿洗浄装置。
【請求項４】
洗浄室内に備えた円柱形状または角柱形状のブラシを、中空形状の金具にブラシ芯を挿入して固定ネジで締める方式とすることにより、ブラシの交換やメンテナンスのための脱着が簡単にできる構造としたことを特徴とする請求項１〜３の何れかに記載の車両用灰皿洗浄装置。
【請求項５】
洗浄・乾燥を終えた灰皿に、脱臭剤・消臭剤・除菌剤・芳香剤のうち１種類の液体を入れたタンクからエアーでエジェクターを通してその液体を吸引し噴射・噴霧して清浄化する手段を備えた請求項１〜４の何れかに記載の車両用灰皿洗浄機。
【請求項６】
灰皿洗浄装置の正面のみならず背面及び側面からも洗浄・乾燥作業ができるよう洗浄室開口部を２ヶ所以上設けることも可能であることを特徴とする請求項１〜５の何れかに記載の車両用灰皿洗浄機。
【発明の詳細な説明】
【技術分野】
【０００１】  本発明は、給油所，コイン洗車場，電気自動車またはハイブリッド車の充電場所等で顧客または店員が使用する、車両用の灰皿洗浄装置に関するものである。
【背景技術】
【０００２】  従来の車両用灰皿として使用されている引出式灰皿は底が浅く、この形状に合わせて製作かつ使用されている灰皿洗浄装置は、洗浄水噴射やエアーブローで洗浄及び乾燥ができていた。仮に洗浄水噴射等で汚れが落ちなくても、灰皿の底が浅いため、雑巾等を使用して手作業による拭き取りにより汚れを取っていた。【０００３】  また手作業をしなくても良いように、水平取付の手動回転ブラシを装備した灰皿洗浄装置が考案され、実願昭５９−１８０９５８に記載されており、モーター回転ブラシを装備したものとしては、類似装置として底の深いコップを洗うコップ洗浄機も実願平５−６６９４６に考案されている。
【先行技術文献】
【特許文献】
【０００４】
【特許文献１】実用新案  実願  昭５９−１８０９５８
【特許文献２】実用新案  実願  平５−６６９４６
【発明の概要】
【発明が解決しようとする課題】
【０００５】  近年、喫煙者の減少を受けて、従来は必ず車両に装備されていた灰皿がオプション設定扱いとなったり、灰皿の装備そのものがない車両も増加している。このため車両の所有者は、カーショップ等で自ら灰皿を購入するようになってきている。このような背景から、灰皿は従来の引出式から車内に置いても邪魔にならないようドリンクホルダー等に収納できる有底筒状で底が深い物に移り変わっている。【０００６】  従って、引出式灰皿を洗浄することを目的に作られた灰皿洗浄装置においては、洗浄室の開口部がせまいため、有底筒状で底が深い灰皿は開口部から挿入できないことが多く、仮に挿入できたとしても、洗浄水噴射やエアーブロー用のノズルに灰皿内部の被洗浄部を的確に向けて保持することができず、洗浄することが困難な場合がある。
また、上述した実用新案に記載されているブラシ付き灰皿洗浄装置においても、ブラシは水平方向に取り付けられ横に長いため、有底筒状で底が深い灰皿にはブラシが入らず洗浄できる構造になっていない。更に引出式灰皿を下方からブラシに手で押し当てるため、取れた汚れが灰皿内に留まったままとなり作業性が悪く、ブラシの両端は灰皿洗浄装置上部の側面カバーにより支持され、かつ上部カバーにより覆われているため、ブラシの交換も容易ではなかった。また上述した実用新案に記載されているコップ洗浄機においても、コップ開口部を上方に向けて洗浄作業を行うため、汚れた洗浄水やごみがコップ内部に残ったままとなり、場合によってはコップ内部からあふれ手にかかり衛生的ではない。
本発明は、上述した課題を解決するためのものであり、有底筒状で底が深い灰皿を効率的にかつ衛生的に洗浄・乾燥を可能とするメンテナンス性の高い車両用灰皿洗浄装置を提供することを目的とするものである。
【課題を解決するための手段】
【０００７】  そこで本発明は、上記目的を達成するために、装置上部に設けた洗浄室開口部から灰皿を挿入後、洗浄室内底部中央に位置するウエットノズルから上方に洗浄水とエアーとを灰皿内部の被洗浄部に向けて噴射することにより灰皿の汚れを除去し、その後にウエットノズルと隣り合うドライノズルから上方にエアーのみを噴射することにより洗浄・乾燥を行う車両用灰皿洗浄装置において、ウエットノズル及びドライノズルが位置する洗浄室中央部以外の周囲に、円柱形状または角柱形状の固定ブラシを洗浄室底部から上向きに垂直または角度をつけて取り付け、有底筒状で底が深い灰皿内部の被洗浄部のブラッシングを可能としたことを特徴としている。【０００８】  これにより、装置利用者は従来の引出式灰皿の形状に合わせて製作された灰皿洗浄装置では洗浄できなかった有底筒状で底が深い灰皿を効率よく洗浄・乾燥でき、使い勝手が良い。【０００９】  また本発明は、上記車両用灰皿洗浄装置において、洗浄室内に備えた円柱形状または角柱形状のブラシを手動もしくはモーターで回転させることにより、固定ブラシ方式に比べより効率的に洗浄できる回転ブラシ方式とすることもできる。【００１０】  また本発明は、上記車両用灰皿洗浄装置において、洗浄室内に備えた円柱形状または角柱形状のブラシの取付部に近接して、洗浄室底部から上向きにブラシ洗浄ノズルを設け、灰皿をブラッシングする時に洗剤を噴射させることにより、さらに効率的な洗浄機能とブラシをより清潔に保つ機能を付加することもできる。【００１１】  また本発明は、上記車両用灰皿洗浄装置において、洗浄室内に備えた円柱形状または角柱形状のブラシを、中空形状の金具にブラシ芯を挿入して固定ネジで締める方式とすることにより、ブラシの交換やメンテナンスのための脱着が簡単にできる構造となっているため、ランニングコストの低減に寄与することができる。【００１２】  また本発明は、上記車両用灰皿洗浄装置において、洗浄・乾燥を終えた灰皿に、脱臭剤・消臭剤・除菌剤・芳香剤のうち１種類の液体を入れたタンクからエアーでエジェクターを通してその液体を吸引し、噴射・噴霧して清浄化する手段も備えることができ、さらに利便性を高めることが可能である。【００１３】  更に本発明は、上記車両用灰皿洗浄装置において、装置の正面のみならず背面及び側面からも洗浄・乾燥作業ができるよう洗浄室開口部を２ケ所以上設けることも可能であり、給油所のアイランド等に設置される場合に使い勝手が良く、スペースの有効利用にも役立てることができる。
【発明の効果】
【００１４】  本発明によれば、本灰皿洗浄装置は洗浄室内底部中央に位置し洗浄水とエアーを噴射するウエットノズルと、それと隣り合うエアーのみを噴射するドライノズルと、それらが位置する洗浄室中央部以外の周囲に、洗浄室底部より上向きに取り付けられた円柱形状または角柱形状の固定ブラシを備えているため、有底筒状で底が深い灰皿内部の被洗浄部を効率的に洗浄・乾燥することができる。【００１５】  更に洗浄室内に備えた円柱形状または角柱形状のブラシを手動もしくはモーターで回転させることにより、より効率的な洗浄を提供することもできる。【００１６】  また、洗浄室内に備えた円柱形状または角柱形状のブラシ取付部に近接して、洗浄室底部から上向きにブラシ洗浄ノズルを設け、灰皿をブラッシングする時に洗剤を噴射することにより、さらに効率的な洗浄が可能で、ブラシをより清潔に保つこともできる。【００１７】  また、洗浄室内に備えた円柱形状または角柱形状のブラシを、中空形状の金具にブラシ芯を挿入して固定ネジで締める方式とすることにより、ブラシの交換やメンテナンスのための脱着が簡単にできる構造となっているため、ランニングコストも低減できる。【００１８】  更に、洗浄・乾燥を終えた灰皿に、脱臭剤・消臭剤・除菌剤・芳香剤のうち１種類の液体を入れたタンクからエアーでエジェクターを通してその液体を吸引し、噴射・噴霧して清浄化する手段も備えることができ、さらに利便性を高めることが可能である。【００１９】  また、装置の正面のみならず背面及び側面からも洗浄・乾燥作業ができるよう洗浄室開口部を２ケ所以上設けることも可能であり、給油所のアイランドに設置される場合に使い勝手が良く、スペースの有効利用にも役立てることができる。
【図面の簡単な説明】
【００２０】
【図１】本発明実施例の車両用灰皿洗浄装置の正面図
【図２】同じくブラシ固定部詳細図
【図３】同じく側面図
【図４】同じく洗浄方法説明図
【図５】同じくブラシ回転１図
【図６】同じくブラシ回転２図
【図７】同じくブラシ洗浄ノズル部詳細図
【図８】同じく全体フロー図
【図９】同じく脱臭剤等の噴射・噴霧手段説明図
【発明を実施するための形態】
【００２１】  車両用灰皿洗浄装置において、有底筒状で底が深い灰皿を効率的かつ衛生的に洗浄・乾燥可能とするという目的を、ウエットノズル及びドライノズルが位置する洗浄室中央部以外の周囲に、洗浄室底部から上向きに円柱形状または角柱形状のブラシを取り付けて洗剤の噴射も可能なブラッシングをし、洗浄・乾燥後に脱臭剤等も噴射・噴霧もできるようにすることで実現した。
【実施例】
【００２２】  以下、本発明の実施の形態を図１〜図９に基づいて説明する。図１は、本発明の車両用灰皿洗浄装置の一実施例を示す正面図である。１は灰皿洗浄装置本体でその上部には灰皿を洗浄・乾燥するための洗浄室３、下部には洗浄水を貯めておく水タンク９、ブラシの洗浄や灰皿内のブラッシングの効果を上げるための洗剤を貯めておくブラシ洗浄用洗剤タンク２３、灰皿内を清浄化するための脱臭剤・消臭剤・除菌剤・芳香剤のうち１種類を貯めておく脱臭剤等タンク２７、灰皿の吸い殻を投入する吸殻入れ１０が配置されている。また底部には、ウエットペダル１１及びドライペダル１２が配置されており、これらのペダルは足で踏むことによりペダルに近接して取り付けられたウエットプッシュバルブ１３及びドライプッシュバルブ１４を作動させ、洗浄室３内の底部中央に位置するウエットノズル４より洗浄液とエアーを、また同様にドライノズル５よりエアーのみを噴射することができる。洗浄室３内にはウエットノズル４及びドライノズル５が位置する中央部以外の周囲に、円柱形状または角柱形状のブラシ６が設けられ、洗浄室３底部より上向きに垂直または角度をつけて取り付けられ、図２に示すようにブラシ固定金具７および固定ネジ８により固定・支持されている。洗浄室３の底部に穿設された穴には排水ホース１５が接続され、灰皿洗浄装置本体１の側面を貫通して外方に引き出されるか、または吸殻入れ１０に引き込まれる。【００２３】  図３は、灰皿洗浄装置の側面図を示す。吸殻入れフタＡ１６及び吸殻入れフタＢ１７は、洗浄室３の開口部を正面，背面，側面のどこに設けるかにより開閉が決められ、吸殻シューターとして吸殻の飛散防止にも役立っている。【００２４】  次に実施例の使用法及び動作について説明する。【００２５】  まず、灰皿２内の吸い殻を吸殻入れ１０に捨て、図４に示すように灰皿２の開口部を下に向け、洗浄室３に挿入し、洗浄室３の底部中央に位置するウエットノズル４及びドライノズル５の真上に手で保持し、足でウエットペダル１１を踏む。【００２６】  すると、図８で示すようにウエットノズル４より洗浄水とエアーとが噴射され洗浄が開始され、洗浄終了後はウエットペダル１１から足を離し、灰皿２をブラシ６に挿入し、灰皿２を持って上下に動かしてブラッシングする。【００２７】  なお、図５または図６に示すように、上面に取り付けたブラシ回転ハンドルＡ１９や横面に取り付けたブラシハンドルＢ２０を回すことで、チェーン・歯車等の伝導手段を用いてブラシ６を回転させブラッシング効果を高めても良い。また手動に限らずモーターでブラシ６を回転させても良い。【００２８】  また、図７に示すように、ブラシ６の取付部に近接して、洗浄室３の底部より上向きにブラシ洗浄ノズル２２を設け、灰皿２をブラシ６に挿入して下方向に動かした時に、灰皿２によりブラシ洗浄ノズル用プッシュバルブ２１を開放するようにして、図８に示すようにエアー供給口２９からのエアーがブラシ洗浄用エジェクター２４を通過した時にブラシ洗浄用洗剤タンク２３より洗剤を吸引しブラシ洗浄ノズル２２から噴射することで、さらに効率的な洗浄が可能となりブラシ６も清潔に保つ機能を付加させても良い。【００２９】  ブラッシング��終えた灰皿２は再度洗浄室３の底部中央に位置するウエットノズル４及びドライノズル５の真上に移動させ、足でウエットペダル１１を踏み、図８に示すようにウエットノズル４より洗浄水とエアーを噴射して汚れを洗い流した後、足をドライペダル１２に移して踏み、ドライノズル５よりエアーを噴射して灰皿２に付着している水滴を飛散させ乾燥を行ったのち、ドライペダル１２より足を離す。【００３０】  乾燥が終了したら灰皿２を洗浄室３から出し、作業は終了となる。洗浄・乾燥に不十分な点があった場合は、再度上記の中の必要となる作業を行う。【００３１】  なお、図９に示すとおり、洗浄を終えた灰皿２に、脱臭剤・消臭剤・除菌剤・芳香剤等を噴射・噴霧し清浄化する脱臭剤等噴射ノズル２５を洗浄室３内に備えて、さらに利便性を高めても良い。灰皿２の開口部を下に向けて、脱臭剤等噴射ノズル２５上方より下方に向けて動かした時に、灰皿２により脱臭剤等噴射ノズル用プッシュバルブ２６を開放するようにして、図８に示すようにエアー供給口２９からのエアーが脱臭剤等用エジェクター２８を通過した時に脱臭剤等タンク２７より脱臭剤等を吸引し脱臭剤等噴射ノズル２５より噴射することで、灰皿内への脱臭剤等の噴射・噴霧作業が可能となる。また、脱臭剤等噴射ノズル２５および脱臭剤等噴射ノズル用プッシュバルブ２６を灰皿洗浄装置本体１の側面に取り付けて、灰皿２へ脱臭剤等を噴射・噴霧させても良い。脱臭剤等タンク２７は灰皿洗浄装置本体１の側面に配置するか、または内部に配置しても構わない。
【符号の説明】
【００３２】      １    灰皿洗浄装置本体
２    灰皿
３    洗浄室
４    ウエットノズル
５    ドライノズル
６    ブラシ
７    ブラシ固定金具
８    固定ネジ
９    水タンク
１０  吸殻入れ
１１  ウエットペダル
１２  ドライペダル
１３  ウエットプッシュバルブ
１４  ドライプッシュバルブ
１５  排水ホース
１６  吸殻入れフタＡ
１７  吸殻入れフタＢ
１８  エアーレギュレーター
１９  ブラシ回転ハンドルＡ
２０  ブラシ回転ハンドルＢ
２１  ブラシ洗浄ノズル用プッシュバルブ
２２  ブラシ洗浄ノズル
２３  ブラシ洗浄用洗剤タンク
２４  ブラシ洗浄用エジェクター
２５  脱臭剤等噴射ノズル
２６  脱臭剤等噴射ノズル用プッシュバルブ
２７  脱臭剤等タンク
２８  脱臭剤等用エジェクター
２９  エアー供給口
【図１】
2015093270.tif 000003
【図２】
2015093270.tif 000004
【図３】
2015093270.tif 000005
【図４】
2015093270.tif 000006
【図５】
2015093270.tif 000007
【図６】
2015093270.tif 000008
【図７】
2015093270.tif 000009
【図８】
2015093270.tif 000010
【図９】
2015093270.tif 000011